(57)【特許請求の範囲】
【請求項１】
Ｘ軸方向の変位を入力として受けて閉開するスイッチであって、
ケースと、
前記ケース内に設けられ、第１の接点部を有する第１の接触子および第２の接点部を有する第２の接触子を備え、前記第１の接点部と前記第２の接点部との接触、離間により閉開するスイッチ回路と、
前記ケースに前記Ｘ軸方向に移動可能に支持され、前記入力を受けて前記Ｘ軸方向に移動するスライド部材と、
前記Ｘ軸方向と直交するＹ軸方向において互いに異なる第１の位置と第２の位置との間を移動可能となるように前記ケースに支持され、自らの移動に伴い前記第２の接触子を変位させることにより、前記第１の接点部と前記第２の接点部との間の接触、離間を切り換える切換部材と、
前記スライド部材に形成され、前記Ｘ軸方向および前記Ｙ軸方向に拡がるＸＹ平面内において所定の形状が設定されたカム溝部と、前記切換部材に形成され、前記カム溝部内に挿入されたカム突起部とを有し、前記カム溝部の前記ＸＹ平面内における形状に基づいて前記カム突起部の移動を制御することにより、前記スライド部材の前記Ｘ軸方向の移動を前記切換部材の前記Ｙ軸方向の移動に変換するカム機構とを備え、
前記切換部材は、前記第２の接触子が前記切換部材と共に前記Ｙ軸方向における一方および他方にそれぞれ変位するように前記第２の接触子を支持する接触子支持部を有し、
前記切換部材は、前記切換部材が前記第１の位置から前記第２の位置へ移動したときに、前記第２の接触子を前記Ｙ軸方向における一方へ押し動かすことにより前記第２の接点部を前記第１の接点部に押し付け、前記切換部材が前記第２の位置から前記第１の位置へ移動したときに、前記第２の接触子を前記Ｙ軸方向における他方へ押し動かすことにより前記第２の接点部を前記第１の接点部から引き離すことを特徴とするスイッチ。
【請求項２】
前記第１の接触子は基端側が前記ケースの前記Ｘ軸方向における一側に支持され、先端側が前記ケースの前記Ｘ軸方向における他側に向かって伸長した自由端となり、
前記第１の接点部は、前記第１の接触子の先端部に配置され、前記第１の接触子の弾性変形により、前記ＸＹ平面内において、前記第１の接触子が前記ケースに支持されている点を中心とした略円弧状の軌跡を描くように変位可能であり、
前記第２の接触子は基端側が前記ケースの前記Ｘ軸方向における他側に支持され、先端側が前記ケースの前記Ｘ軸方向における一側に向かって伸長した自由端となり、
前記第２の接点部は、前記第２の接触子の先端部に配置され、前記第２の接触子の弾性変形により、前記ＸＹ平面内において、前記第２の接触子が前記ケースに支持されている点を中心とした略円弧状の軌跡を描くように変位可能であり、
前記第１の接触子の先端側は前記第２の接触子の先端側よりも前記Ｙ軸方向における一側に位置し、前記第１の接点部と前記第２の接点部とは前記Ｙ軸方向において互いに対向し、
前記切換部材が前記第１の位置から第２の位置へ移動したとき、前記第２の接点部が前記第１の接点部に接触して前記第１の接点部を押し動かすことにより、前記第２の接点部が前記第１の接点部上をスライド移動することを特徴とする請求項１に記載のスイッチ。
【請求項３】
前記ケースには、前記切換部材が前記第２の位置から前記第１の位置へ移動したときに、前記第１の接触子の先端側が前記Ｙ軸方向における他方へ変位することを制限することにより、前記第１の接点部を前記第２の接点部から引き剥がす変位制限部が設けられていることを特徴とする請求項２に記載のスイッチ。
【請求項４】
前記カム溝部は、前記スライド部材が前記Ｘ軸方向に移動する間、前記切換部材を前記第１の位置に停止させる第１の位置保持溝部と、前記スライド部材が前記Ｘ軸方向に移動する間、前記切換部材を前記第１の位置と前記第２の位置との間において移動させる切換溝部と、前記スライド部材が前記Ｘ軸方向に移動する間、前記切換部材を前記第２の位置に停止させる第２の位置保持溝部とを有していることを特徴とする請求項１ないし３のいずれかに記載のスイッチ。
【請求項５】
前記カム溝部は、前記ＸＹ平面内において、前記スライド部材の他側に位置するＡ点から前記Ｘ軸方向に伸長して前記Ａ点よりも前記Ｘ軸方向において一側に位置するＢ点に至り、前記Ｂ点から斜め方向に伸長して前記Ｂ点よりも前記Ｘ軸方向において一側であって、かつ前記Ｂ点よりも前記Ｙ軸方向において一側または他側に位置するＣ点に至り、前記Ｃ点から前記Ｘ軸方向に伸長して前記Ｃ点よりも前記Ｘ軸方向において一側に位置するＤ点に至る軌跡を描くように伸長していることを特徴とする請求項１ないし４のいずれかに記載のスイッチ。
【発明の詳細な説明】
【技術分野】
【０００１】
本発明は、直線状の変位を入力として受けて閉開するスイッチに関する。
【背景技術】
【０００２】
直線状の変位を入力として受けて開閉するスイッチ（以下、これをこの欄において「スライド入力スイッチ」という。）は、例えば、電気、電子機器の電源スイッチや入力スイッチのように、人間によるスライドレバーやスライドつまみの操作を受けて開閉するスイッチとして広く利用されている。また、スライド入力スイッチは、扉の開閉を検出するスイッチや、シートベルトのバックルに対するトングの係脱を検出するスイッチのように、物体（扉、トング等）の変位や移動を検出するスイッチとしても広く利用されている。
【０００３】
一般に、スライド入力スイッチは、ケースを備え、ケースには、スライド部材が直線状に移動可能に支持され、ケース内には、固定接点が固定されている。さらに、ケース内には、弾性変形可能な細長い接触子が設けられ、接触子の基端部がケースに固定され、接触子の先端部が自由端となり、接触子の先端部には可動接点が設けられている。また、可動接点と固定接点とは、スライド部材の移動方向と直交する方向において互いに対向し、かつ離間した位置関係となるように配置されている。さらに、スライド入力スイッチは、スライド部材が一方向に移動したとき、接触子に押圧力を加えて接触子を弾性変形させ、これにより、可動接点を移動させて固定接点に接触させる構造を有している。一方、スライド部材が元の位置に戻って接触子に押圧力が加わらなくなったときには、接触子がその弾性力により元の形状に戻り、その結果、可動接点が固定接点から離間するようになっている。
【０００４】
例えば、特許文献１の図６には、このような構造を有するスライド入力スイッチが示されている。同図において、スイッチケース上にはスライダが左右方向に移動可能となるように設けられ、スライダには下向きに突出する押圧片が設けられている。また、スイッチケース内には、常開接点および常閉接点がそれぞれ固定され、常開接点および常閉接点は互いに上下方向に向かい合うように配置されている。さらに、スイッチケース内には、左右方向に伸長する可動接点板が設けられ、可動接点板の端部は常開接点と常閉接点との間に配置され、可動接点板の端部には可動接点が設けられている。また、可動接点板にはばね部が設けられている。
【０００５】
このスライド入力スイッチにおいて、スライダが中立位置にあるとき、可動接点はその下側に配置された常閉接点に接触している。可動接点板のばね部は、上方へ凸の湾曲形状に保形されているが、スライダが左方へ移動すると、スライダに設けられた押圧片がばね部を押し下げ、上方へ凹の湾曲形状に変形する。その反動で可動接点板の端部が押し上げられ、可動接点が常閉接点から離間し、可動接点の上側に配置された常開接点に接触する。スライダが中立位置に戻ると、押圧片により得られていた可動接点板のばね部の押圧力が開放され、ばね部が上方へ凸の湾曲形状に戻り、可動接点は、常開接点から離れ、常閉接点に再び接触する。
【先行技術文献】
【特許文献】
【０００６】
【特許文献１】特開平８−２０３３８３号公報
【発明の概要】
【発明が解決しようとする課題】
【０００７】
ところで、スライド部材が一方向に移動したとき、接触子に押圧力を加えて接触子を弾性変形させることにより可動接点を固定接点へ接触させ、一方、スライド部材が元の位置に戻って接触子に押圧力が加わらなくなったとき、接触子がその弾性力により元の形状に戻り、可動接点が固定接点から離間する構造を備えたスイッチにおいては、次のような問題がある。
【０００８】
すなわち、スライド部材が一方向に移動し、固定接点と可動接点とが接触しているときに、固定接点と可動接点との間に大きな電流が流れると、固定接点と可動接点とが溶着することがある。溶着による固定接点と可動接点との間の接着力が接触子の弾性力よりも大きい場合には、スライド部材が元の位置に戻っても可動接点が固定接点から離間しなくなり、スイッチが誤動作するおそれがある。
【０００９】
一方、スライド部材が一方向に移動したときに、可動接点をスライド部材の移動方向と直交する方向に移動させて固定接点へ接触させる構造を有するスイッチには、次のような問題がある。
【００１０】
すなわち、可動接点と固定接点との接触の態様は、可動接点がスライド部材の移動方向と直交する方向に移動し、例えばスイッチケースに固定された不動の固定接点に単に当たって停止するのみである。このため、可動接点または固定接点に塵埃が付着し、または塵埃による膜が形成されてしまった場合には、可動接点が固定接点に当たっていても、接点間が十分に導通せず、スイッチが誤動作するおそれがある。
【００１１】
本発明は例えば上述したような問題に鑑みなされたものであり、本発明の第１の課題は、直線状の変位を入力として受けて開閉する構造を有し、かつ、接点部間の溶着による誤動作を防止することができるスイッチを提供することにある。
【００１２】
また、本発明の第２の課題は、直線状の変位を入力として受けて開閉する構造を有し、かつ、接点部に塵埃が付着することによる誤動作を防止することができるスイッチを提供することにある。
【課題を解決するための手段】
【００１３】
上記課題を解決するために、本発明のスイッチは、Ｘ軸方向の変位を入力として受けて閉開するスイッチであって、ケースと、前記ケース内に設けられ、第１の接点部を有する第１の接触子および第２の接点部を有する第２の接触子を備え、前記第１の接点部と前記第２の接点部との接触、離間により閉開するスイッチ回路と、前記ケースに前記Ｘ軸方向に移動可能に支持され、前記入力を受けて前記Ｘ軸方向に移動するスライド部材と、前記Ｘ軸方向と直交するＹ軸方向において互いに異なる第１の位置と第２の位置との間を移動可能となるように前記ケースに支持され、自らの移動に伴い前記第２の接触子を変位させることにより、前記第１の接点部と前記第２の接点部との間の接触、離間を切り換える切換部材と、前記スライド部材に形成され、前記Ｘ軸方向および前記Ｙ軸方向に拡がるＸＹ平面内において所定の形状が設定されたカム溝部と、前記切換部材に形成され、前記カム溝部内に挿入されたカム突起部とを有し、前記カム溝部の前記ＸＹ平面内における形状に基づいて前記カム突起部の移動を制御することにより、前記スライド部材の前記Ｘ軸方向の移動を前記切換部材の前記Ｙ軸方向の移動に変換するカム機構とを備え、前記切換部材は、前記第２の接触子が前記切換部材と共に前記Ｙ軸方向における一方および他方にそれぞれ変位するように前記第２の接触子を支持する接触子支持部を有し、前記切換部材は、前記切換部材が前記第１の位置から前記第２の位置へ移動したときに、前記第２の接触子を前記Ｙ軸方向における一方へ押し動かすことにより前記第２の接点部を前記第１の接点部に押し付け、前記切換部材が前記第２の位置から前記第１の位置へ移動したときに、前記第２の接触子を前記Ｙ軸方向における他方へ押し動かすことにより前記第２の接点部を前記第１の接点部から引き離すことを特徴とする。
【００１４】
また、本発明のスイッチにおいて、前記第１の接触子は基端側が前記ケースの前記Ｘ軸方向における一側に支持され、先端側が前記ケースの前記Ｘ軸方向における他側に向かって伸長した自由端となり、前記第１の接点部は、前記第１の接触子の先端部に配置され、前記第１の接触子の弾性変形により、前記ＸＹ平面内において、前記第１の接触子が前記ケースに支持されている点を中心とした略円弧状の軌跡を描くように変位可能であり、前記第２の接触子は基端側が前記ケースの前記Ｘ軸方向における他側に支持され、先端側が前記ケースの前記Ｘ軸方向における一側に向かって伸長した自由端となり、前記第２の接点部は、前記第２の接触子の先端部に配置され、前記第２の接触子の弾性変形により、前記ＸＹ平面内において、前記第２の接触子が前記ケースに支持されている点を中心とした略円弧状の軌跡を描くように変位可能であり、前記第１の接触子の先端側は前記第２の接触子の先端側よりも前記Ｙ軸方向における一側に位置し、前記第１の接点部と前記第２の接点部とは前記Ｙ軸方向において互いに対向し、前記切換部材が前記第１の位置から第２の位置へ移動したとき、前記第２の接点部が前記第１の接点部に接触して前記第１の接点部を押し動かすことにより、前記第２の接点部が前記第１の接点部上をスライド移動することが望ましい。
【００１５】
また、本発明のスイッチにおいて、前記ケースには、前記切換部材が前記第２の位置から前記第１の位置へ移動したときに、前記第１の接触子の先端側が前記Ｙ軸方向における他方へ変位することを制限することにより、前記第１の接点部を前記第２の接点部から引き剥がす変位制限部が設けられていることが望ましい。
【００１６】
また、本発明のスイッチにおいて、前記カム溝部は、前記スライド部材が前記Ｘ軸方向に移動する間、前記切換部材を前記第１の位置に停止させる第１の位置保持溝部と、前記スライド部材が前記Ｘ軸方向に移動する間、前記切換部材を前記第１の位置と前記第２の位置との間において移動させる切換溝部と、前記スライド部材が前記Ｘ軸方向に移動する間、前記切換部材を前記第２の位置に停止させる第２の位置保持溝部とを有していることが望ましい。
【００１７】
また、本発明のスイッチにおいて、前記カム溝部は、前記ＸＹ平面内において、前記スライド部材の他側に位置するＡ点から前記Ｘ軸方向に伸長して前記Ａ点よりも前記Ｘ軸方向において一側に位置するＢ点に至り、前記Ｂ点から斜め方向に伸長して前記Ｂ点よりも前記Ｘ軸方向において一側であって、かつ前記Ｂ点よりも前記Ｙ軸方向において一側または他側に位置するＣ点に至り、前記Ｃ点から前記Ｘ軸方向に伸長して前記Ｃ点よりも前記Ｘ軸方向において一側に位置するＤ点に至る軌跡を描くように伸長していることが望ましい。
【発明の効果】
【００１８】
本発明によれば、直線状の変位を入力として受けて開閉する構造を有するスイッチにおいて、接点部間の溶着による誤動作を防止することができ、また、接点部に塵埃が付着することによる誤動作を防止することができる。
【図面の簡単な説明】
【００１９】
【図１】本発明の実施形態によるスイッチを示す斜視図である。
【図２】図１中の上方から見たスイッチを示す説明図である。
【図３】図２中の矢示ＩＩＩ−ＩＩＩ方向から見たスイッチを示す断面図である。
【図４】図２中のスイッチにおいてスライド部材を取り外した状態を示す説明図である。
【図５】図４中のスイッチにおいてカバーを取り外した状態を示す説明図である。
【図６】図５中のスイッチにおいて切換部材を取り外した状態を示す説明図である。
【図７】本発明の実施形態によるスイッチのスライド部材を示す説明図である。
【図８】本発明の実施形態によるスイッチの切換部材を示す説明図である。
【図９】本発明の実施形態によるスイッチの切換部材を示す斜視図である。
【図１０】図９とは異なる角度から見た切換部材を示す斜視図である。
【図１１】本発明の実施形態によるスイッチの各接触子の最先端部等を示す説明図である。
【図１２】本発明の実施形態によるスイッチにおけるスライド部材および切換部材の移動を示す説明図である。
【図１３】本発明の実施形態によるスイッチにおいて、切換部材が第２の位置に移動したときの各接触子の状態を示す説明図である。
【図１４】本発明の実施形態によるスイッチにおいて、切換部材が第１の位置に移動したときの各接触子の状態を示す説明図である。
【図１５】本発明の実施形態によるスイッチにおいて接点同士が接触したときの動作を示す説明図である。
【図１６】本発明の実施形態によるスイッチにおいてスライド部材の変形例を示す説明図である。
【発明を実施するための形態】
【００２０】
図１および図２は本発明の実施形態によるスイッチを示している。図３は図２中の矢示ＩＩＩ−ＩＩＩ方向から見たスイッチ１の断面を示している。図４は図２中のスイッチ１においてスライド部材１５を取り外した状態を示し、図５は図４中のスイッチ１においてカバー９を取り外した状態を示し、図６は図５中のスイッチ１において切換部材２３を取り外した状態を示している。なお、本実施形態において、スイッチ１の各部材の位置関係や部材の移動方向等を説明するに当たり、説明の便宜上、前、後、左、右、上および下の方向を図１中の矢示の方向に定めることとする。左右方向（Ｙ軸方向）は前後方向（Ｘ軸方向）に直交し、上下方向（Ｚ軸方向）は左右方向および前後方向の双方に直交する。
【００２１】
（スイッチの構成）
図１において、本発明の実施形態によるスイッチ１は、前後方向の変位を入力として受けて閉開するスイッチである。スイッチ１は、図２に示すように、スイッチ１の外殻を形成するケース２と、ケース２の上側に支持され、前後方向に移動するスライド部材１５と、ケース２内に設けられ、左右方向に移動する切換部材２３と、スライド部材１５の前後方向の移動を切換部材２３の左右方向の移動に変換するカム機構２０と、スライド部材１５および切換部材２３の移動により閉開するスイッチ回路３１とを備えている。スイッチ回路３１は、図６に示すように、ケース２内に設けられている。また、スイッチ回路３１は、第１の接点部３３を有する第１の接触子３２と、第２の接点部３５を有する第２の接触子３４とを備え、第１の接点部３３と第２の接点部３５との接触により閉となり、第１の接点部３３と第２の接点部３５との離間により開となる。
【００２２】
ケース２は、図１に示すように、前後方向に長い直方体状であり、内部に空間を有する箱状に形成されている。ケース２はケース本体３とカバー９とを備えている。ケース本体３は、図６に示すように、底板部３Ａを備え、さらに底板部３Ａの前、後、左および右のそれぞれの縁部から上方に伸長する前壁部３Ｂ、後壁部３Ｃ、左壁部３Ｄおよび右壁部３Ｅを備えている。
【００２３】
ケース本体３の前後方向中間部には切換軌道形成部４が形成されている。切換軌道形成部４は切換部材２３の移動方向を左右方向に規制する部分である。切換軌道形成部４は、底板部３Ａから上方へ突出しているが、その上面はカバー９から離間している。切換軌道形成部４の上面とカバー９との間には、切換部材２３を配置するための空間が確保されている。また、切換軌道形成部４は、左壁部３Ｄからケース本体３の左右方向中間部まで左右方向に伸長している。また、切換部材２３が後述する第１の位置にある間、切換軌道形成部４の右端部には、第２の接触子３４の先端側の左面が接触している。
【００２４】
また、ケース本体３の左前部には第１の接触子固定部５が形成されている。第１の接触子固定部５は第１の接触子３２を支持する部分である。第１の接触子固定部５は底板部３Ａから上方に突出している。第１の接触子固定部５と左壁部３Ｄとの間には隙間が形成され、その隙間に第１の接触子３２の基端部が圧入され、固定されている。
【００２５】
また、ケース本体３の左後部には第２の接触子固定部６が形成されている。第２の接触子固定部６は第２の接触子３４を支持する部分である。第２の接触子固定部６は底板部３Ａから上方に突出している。第２の接触子固定部６と左壁部３Ｄとの間には隙間が形成され、その隙間に第２の接触子３４の基端部が圧入され、固定されている。
【００２６】
また、ケース本体３に前部であって第１の接触子固定部５よりも後方の位置（切換軌道形成部４と第１の接触子固定部５との間）には、変位制限部７が形成されている。変位制限部７は第１の接触子３２の先端側の左方への変位を制限する部分である。変位制限部７は、底板部３Ａから上方へ突出し、左壁部３Ｄからケース本体３の左右方向中間部まで左右方向に伸長している。また、変位制限部７の右端部は、切換軌道形成部４の右端部よりも右方に位置している。また、切換部材２３が後述する第１の位置にある間、変位制限部７の右端部には、第１の接触子３２の先端側の左面が接触している。
【００２７】
また、図２に示すように、ケース本体３の左壁部３Ｄの左面および右壁部３Ｅの右面には、スライド軌道形成部８がそれぞれ形成されている。各スライド軌道形成部８は、スライド部材１５を前後方向に移動可能に支持する部分である。図３に示すように、一方のスライド軌道形成部８はケース本体３の左壁部３Ｄの左面から左方に突出し、他方のスライド軌道形成部８はケース本体３の右壁部３Ｅの右面から右方に突出している。また、図２に示すように、各スライド軌道形成部８はケース本体３の前端側から後端側にかけて前後方向に伸長している。
【００２８】
カバー９は、図１に示すように、平板状に形成され、ケース本体３の上側に設けられ、ケース本体３の上側の開口部を略閉塞している。また、カバー９は、カバー９の前部に一体形成された取付部１０等を介してケース本体３に固定されている。また、図４に示すように、カバー９の前後方向および左右方向の中間部には、切換部材２３のカム突起部２５を挿通させるための挿通孔１１が形成されている。挿通孔１１はカバー９を貫通している。また、挿通孔１１は左右方向に長い形状を有している。これにより、カム突起部２５は、カム溝部２１に沿って相対的に移動する際に、挿通孔１１内において左右方向に移動することができる。
【００２９】
スライド部材１５は、図１に示すように、前後方向および左右方向に拡がる下面を有する平板部１６を備えている。本実施形態において、平板部１６の左右方向の長さは、ケース２の左右方向の長さとほぼ同一であり、平板部１６の前後方向の長さは、ケース２の前後方向の長さのほぼ２分の１である。この結果、平板部１６の下面は大きい面積を有している。平板部１６の下面の面積を大きくすることにより、カム溝部２１の形状を自由に設定することが可能になり、また、スライド部材１５の移動距離が長い場合でも、スライド部材１５の移動を切換部材２３の移動に変換することが可能な大型のカム溝部２１（特に前後方向に長いカム溝部２１）を形成することができる。
【００３０】
また、スライド部材１５において、平板部１６の左縁部および右縁部には、支持腕部１７がそれぞれ形成されている。図３に示すように、一方の支持腕部１７は、ケース２の左上角部からケース本体３の左壁部３Ｄの左面にかけての部分に沿うように、平板部１６の左縁部から左方に張り出してから下方に伸長している。また、他方の支持腕部１７は、ケース２の右上角部からケース本体３の右壁部３Ｅの右面にかけての部分に沿うように、平板部１６の右縁部から右方に張り出してから下方に伸長している。また、各支持腕部１７は、図２に示すように、前後方向に伸長している。また、図３に示すように、左側の支持腕部１７の右面（内面）には、当該支持腕部１７の前後方向の全長に亘って伸長する溝が形成されている。また、右側の支持腕部１７の左面（内面）にも、当該支持腕部１７の前後方向の全長に亘って伸長する溝が形成されている。スライド部材１５は、左右の支持腕部１７にそれぞれ形成された溝に、ケース本体３の左壁部３Ｄおよび右壁部３Ｅにそれぞれ形成されたスライド軌道形成部８を係合することにより、ケース本体３に前後方向に移動可能に支持されている。
【００３１】
また、図２に示すように、スライド部材１５において、平板部１６の右縁部には、一対のレバー部１８が形成されている。一方のレバー部１８は平板部１６の右縁部の前部に配置され、他方のレバー部１８は平板部１６の右縁部の後部に配置され、各レバー部１８は平板部１６の右縁部から右方に突出している。各レバー部１８は、前後方向の変位である入力を受け、その入力をスライド部材１５に伝達する部分である。本実施形態においては、スイッチ１の右方に、図２中の移動軸５１に沿って、スイッチ１に対して前後方向に移動する物体５２が存在する。この物体５２が前方へ移動するときには、物体５２の一部が、前側のレバー部１８に当接し、これにより、物体５２と共にスライド部材１５がケース２に対して前方に移動する。一方、物体５２が後方へ移動するときには、物体５２の他の部分が、後ろ側のレバー部１８に当接し、これにより、物体５２と共にスライド部材１５がケース２に対して後方に移動する。
【００３２】
また、スライド部材１５において、平板部１６の下面にはカム溝部２１が形成されている。カム溝部２１は、後述するカム突起部２５と共にカム機構２０を構成する部分である。カム溝部２１は、図２に示すように、平板部１６の下面の略中央部分に形成されている。すなわち、平板部１６の略中央部分が上方に盛り上がって肉厚となり、この肉厚の部分に、図３に示すように、下方から溝を掘ることにより、カム溝部２１が形成されている。このようにカム溝部２１の深さ方向は上下方向に設定されており、すなわち、スライド部材１５の移動方向および切換部材２３の移動方向の双方と直交する方向に設定されている。
【００３３】
また、カム溝部２１は、前後方向および左右方向に拡がる平面内、すなわち、平板部１６の下面内において所定の形状が設定されている。つまり、カム溝部２１の形状は平板部１６の下面が拡がる方向（下面と平行な方向）に設定されている。カム溝部２１は、この形状に基づいてカム突起部２５の移動を制御することにより、スライド部材１５の前後方向の移動を切換部材２３の左右方向の移動に変換する。ここで、図７はカム溝部２１の形状の詳細を示している。図７に示すように、カム溝部２１は概ねクランク状の形状を有している。具体的には、カム溝部２１は、平板部１６の下面内において、スライド部材１５の後部に位置するＡ１点から前後方向に直線状に伸長してＡ１点よりも前方に位置するＢ１点に至り、Ｂ１点から斜め方向に直線状に伸長してＢ１点よりも前方であって、かつＢ１点よりも左方に位置するＣ１点に至り、Ｃ１点から前後方向に直線状に伸長してＣ１点よりも前方に位置するＤ１点に至る軌跡を描くように伸長している。
【００３４】
また、カム溝部２１は、第１の位置保持溝部２１Ａ、切換溝部２１Ｂおよび第２の位置保持溝部２１Ｃを有している。第１の位置保持溝部２１Ａは、カム溝部２１においてＣ１点とＤ１点との間の部分であり、スライド部材１５が前後方向に移動する間、切換部材２３を第１の位置に停止させる部分である。切換溝部２１Ｂは、カム溝部２１においてＢ１点とＣ１点との間の部分であり、スライド部材１５が前後方向に移動する間、切換部材２３を第１の位置と第２の位置との間において移動させる部分である。第２の位置保持溝部２１Ｃは、カム溝部２１においてＡ１点とＢ１点との間の部分であり、スライド部材１５が前後方向に移動する間、切換部材２３を第２の位置に停止させる部分である。なお、切換部材２３の第１の位置および第２の位置については後述する。
【００３５】
切換部材２３は、図５に示すように、ケース２内に設けられ、ケース２の前後方向中間部に配置されている。ここで、図８ないし図１０は、切換部材２３の構成の詳細を示している。図１０に示すように、切換部材２３は直方体状に形成され、切換部材２３の下面側には移動規制部２４が形成されている。移動規制部２４は凹状に形成され、左右方向に伸長している。切換部材２３は、ケース本体３に形成された切換軌道形成部４に移動規制部２４を係合しつつ、ケース本体３の底板部３Ａとカバー９との間に挟まれることにより、左右方向に移動可能となるようにケース２に支持されている。
【００３６】
また、図９に示すように、切換部材２３の上面側にはカム突起部２５が形成されている。カム突起部２５は、円柱状に形成され、切換部材２３の上面から上方に突出している。カム突起部２５は、図４に示すように、カバー９に形成された挿通孔１１を貫通し、図３に示すように、スライド部材１５のカム溝部２１内に挿入されている。また、カム突起部２５の直径寸法は、カム溝部２１における第１の位置保持溝部２１Ａ、切換溝部２１Ｂおよび第２の位置保持溝部２１Ｃのそれぞれの幅寸法よりも僅かに小さい寸法に設定されている。これにより、切換部材２３は、スライド部材１５が前後方向に移動したときに、カム溝部２１の形状に忠実に沿って移動する。また、切換部材２３の左右方向の位置は、ケース２に対するスライド部材１５の前後方向の位置に応じて正確に定まり、スライド部材１５が停止している間は変動しない（厳密には、スライド部材１５が停止している間における切換部材２３の左右方向の位置は、カム突起部２５のカム溝部２１に対する円滑な移動を許容するために僅かに変動するが、その変動量は最小限に抑えられている）。
【００３７】
また、図１０に示すように、切換部材２３の下面側には挿通凹部２６および接触子支持部２７が形成されている。挿通凹部２６は凹状に形成され、前後方向に伸長している。図８に示すように、挿通凹部２６内には、第２の接触子３４の先端側が配置される。また、切換部材２３が左右方向に移動したときに、第２の接触子３４が切換部材２３において接触子支持部２７以外の部分に当たって第２の接触子３４の先端側の変位が妨げられることのないように、挿通凹部２６の幅寸法（左右方向の長さ寸法）が設定されている。
【００３８】
接触子支持部２７は、挿通凹部２６の一部に形成され、具体的には、挿通凹部２６の左面および右面から互いに接近する方向にそれぞれ突出する一対の支持片２７Ａおよび２７Ｂを備えている。支持片２７Ａおよび２７Ｂ間には、第２の接触子３４の先端側が挿入される。支持片２７Ａおよび２７Ｂは、切換部材２３の左方および右方のそれぞれの移動に伴って、第２の接触子３４の先端側が左方および右方にそれぞれ変位するように第２の接触子３４を挟持し、支持している。
【００３９】
もっとも、支持片２７Ａおよび２７Ｂは第２の接触子３４の先端側を切換部材２３に対して不動となるように固定しているのではない。支持片２７Ａと支持片２７Ｂとの間の間隔は、第２の接触子３４の厚さ寸法よりも若干大きく設定されており、切換部材２３と共に第２の接触子３４の先端側が左右方向に変位するときに、第２の接触子３４が切換部材２３に対して前後方向に位置ずれすることができる構成となっている。すなわち、第２の接触子３４は、当該第２の接触子３４においてケース本体３の第２の接触子固定部６に支持されている基端側の点を中心として、当該第２の接触子３４の最先端側が略円弧状の軌跡を描くように弾性変形するため（図１３参照）、切換部材２３の左右方向の移動に伴って第２の接触子３４の先端側が左右方向に変位するとき、第２の接触子３４が切換部材２３に対して前後方向に位置ずれする。この位置ずれを許すように、支持片２７Ａと支持片２７Ｂとの間の間隔は、第２の接触子３４の厚さ寸法よりも若干大きく設定されている。ただし、支持片２７Ａと支持片２７Ｂとの間の間隔と、第２の接触子３４の厚さ寸法との間の相違は僅かであり、実質的に見て、切換部材２３と第２の接触子３４とは一体的に左右方向に変位する。
【００４０】
また、接触子支持部２７において、左側の支持片２７Ａの右端面は、支持片２７Ａをその上方または下方から見た場合に、右方に突出するように湾曲した曲面（Ｒ形状）となっている。同様に、右側の支持片２７Ｂの左端面は、支持片２７Ｂをその上方または下方から見た場合に、左方に突出するように湾曲した曲面（Ｒ形状）となっている。これにより、切換部材２３の左右方向の移動に伴って第２の接触子３４を左右方向に円滑に変位させることが可能になる。すなわち、第２の接触子３４は、ケース本体３の第２の接触子固定部６に支持されている基端側の点を中心として、最先端側が略円弧状の軌跡を描くように弾性変形するため（図１３参照）、切換部材２３の左右方向の移動に伴って第２の接触子３４の先端側が左右方向に変位するとき、第２の接触子３４の先端側は、その最先端部が右前方向に向かうように傾斜する。支持片２７Ａおよび２７Ｂの端面をそれぞれ湾曲した形状とすることにより、このような第２の接触子３４の傾斜する変位が支持片２７Ａまたは２７Ｂによって阻害されることを防止することができる。それゆえ、切換部材２３の左右方向の移動に伴って第２の接触子３４を左右方向に円滑に変位させることが可能になる。
【００４１】
スイッチ回路３１は、図６に示すように、第１の接点部３３を有する第１の接触子３２、第２の接点部３５を有する第２の接触子３４、一対の抵抗素子３６、３７、配線部３８および一対の端子３９を備えている。スイッチ回路３１は、第１の接点部３３と第２の接点部３５とが互いに接触した閉の状態と、第１の接点部３３と第２の接点部３５とが互いに離間した開の状態とで端子３９間の抵抗値が異なるように形成されている。
【００４２】
なお、抵抗素子３６および３７を取り除き、抵抗素子３７が接続されていた部分、すなわち、第１の接触子３２と配線３８との間をジャンパー線等で接続してもよい。この場合、スイッチ回路３１は、第１の接点部３３と第２の接点部３５とが互いに接触したときに端子３９間が閉となり、第１の接点部３３と第２の接点部３５とが互いに離間したときに端子３９間が開となる開閉スイッチ回路となる。
【００４３】
第１の接触子３２および第２の接触子３４は、例えば銅等の金属材料により細長い板状にそれぞれ形成されている。第１の接点部３３は第１の接触子３２の最先端部に配置され、第２の接点部３５は第２の接触子３４の最先端部に配置されている。
【００４４】
第１の接触子３２は基端側がケース本体３の左前部に形成された第１の接触子固定部５に支持されている。第１の接触子３２は、その基端側から先端側に向かって、まずケース本体３の左前部から後方に伸長し、その後、右方へ曲がり、その後、右方へ伸長し、その後、後方へ曲がり、その後、後方へ伸長している。第１の接触子３２において、前後方向に伸長している部分は左右方向に弾性変形することができ、左右方向に伸長している部分は前後方向に弾性変形することができる。また、第１の接触子３２の先端側は自由端となっている。もっとも、上述したように、第１の接触子３２の先端側の変位は変位制限部７により制限されている。
【００４５】
第２の接触子３４は基端側がケース本体３の左後部に形成された第２の接触子固定部６に支持されている。第２の接触子３４は、その基端側から先端側に向かって、まずケース本体３の左後部から前方に伸長し、その後、右方へ曲がり、その後、右方へ伸長し、その後、前方へ曲がり、その後、前方へ伸長している。第２の接触子３４の先端側において前後方向に伸長している部分は、第２の接触子３４の基端側において前後方向に伸長している部分よりも長く、第２の接触子３４の中間部において左右方向へ伸長している部分よりも長い。また、第２の接触子３４において、前後方向に伸長している部分は左右方向に弾性変形することができ、左右方向に伸長している部分は前後方向に弾性変形することができる。また、第２の接触子３４の最先端側は自由端となっている。もっとも、第２の接触子３４の先端側において前方に伸長している部分の前後方向中間部は、切換部材２３の接触子支持部２７（支持片２７Ａ、２７Ｂ）に支持されている。この結果、第２の接触子３４の最先端側の変位は切換部材２３の移動と連動するようになっている。
【００４６】
このように、第１の接触子３２および第２の接触子３４を前後方向に伸長する部分と左右方向に伸長する部分とを有する折れ曲がった形状とすることにより、ケース本体３の限られた小さな空間内において、第１の接触子３２および第２の接触子３４を長くすることができ、第１の接触子３２および第２の接触子３４の弾性またはばね性の設定の自由度を高めることができる。これにより、後述するように、第１の接点部３３と第２の接点部３５との接触時にワイピング効果が発揮されるように、第１の接触子３２および第２の接触子３４の弾性またはばね性を容易に設定することが可能になる。
【００４７】
なお、例えば、スイッチのケースの形状を前後方向に長くすることができる場合には、第１の接触子および第２の接触子をそれぞれ前後方向に単に直線状に伸長する形状とすることも可能である。
【００４８】
また、第１の接触子３２の最先端部は、第２の接触子３４の最先端部の右方に位置し、第１の接触子３２の最先端部と第２の接触子３４の最先端部とは左右方向に互いに対向している。また、図１１に示すように、第１の接触子３２の最先端部は上下方向に二股に分かれた分割部３２Ａが形成されている。また、第２の接触子３４の最先端部には右方に突出した突出部３４Ａが形成されている。後述するように切換部材２３が第２の位置に移動したときには、第２の接触子３４の突出部３４Ａが第１の接触子３２の分割部３２Ａに接触するので、第１の接触子３２と第２の接触子３４との間の接触箇所が２箇所となる。これにより、第１の接点部３３と第２の接点部３５との接触の確実性が高まる。
【００４９】
なお、本実施形態では、第２の接触子３４の最先端部を曲げることにより突出部３４Ａを形成し、この部分を第２の接点部３５としたが、これに代え、第２の接触子３４の最先端部に別部材を溶接またはリベットカシメ等の手段により取り付けることにより突出部を形成し、この部分を第２の接点部３５としてもよい。また、第１の接触子３２の分割部３２Ａに代え、第１の接触子３２の最先端部に別部材を取り付けることにより、第１の接触子３２の最先端部を左方に突出させ、この部分を第１の接点部３３としてもよい。
【００５０】
（スイッチの動作）
図１２はスイッチ１の４つの状態を示している。図１２において、最上段に示す状態Ｓ１は、スライド部材１５がケース２の最前部に位置している状態である。上から２段目に示す状態Ｓ２は、スライド部材１５がケース２に対して後方に移動した状態であり、上から３段目に示す状態Ｓ３は、スライド部材１５がケース２に対してさらに後方に移動した状態である。そして、最下段に示す状態Ｓ４は、スライド部材１５がケース２の最後部に位置している状態である。また、状態Ｓ３およびＳ４では、切換部材２３がケース２の左部に位置している。切換部材２３のこの位置を「第１の位置」という。一方、状態Ｓ１およびＳ２では、切換部材２３がケース２の左右方向中間部に位置している。切換部材２３のこの位置を「第２の位置」という。また、切換部材２３が第２の位置にあるとき、第１の接点部３３と第２の接点部３５とが互いに接触し、スイッチ回路３１が閉となる（図１３参照）。一方、切換部材２３が第１の位置にあるとき、第１の接点部３３と第２の接点部３５とが互いに離間し、スイッチ回路３１が開となる（図１４参照）。以下、スイッチ１の状態が図１２中の状態Ｓ１、Ｓ２、Ｓ３、Ｓ４の順序で変化した場合を例にあげ、スイッチ１の動作を説明する。
【００５１】
まず、状態Ｓ１、すなわち、スライド部材１５がケース２の最前部に位置している状態では、切換部材２３のカム突起部２５がカム溝部２１の第２の位置保持溝部２１Ｃの最後部に位置している。このとき、切換部材２３は第２の位置にあり、第１の接点部３３と第２の接点部３５とが互いに接触し、スイッチ回路３１は閉の状態である。
【００５２】
次に、状態Ｓ２では、スライド部材１５がケース２の後方へ移動し、切換部材２３のカム突起部２５がカム溝部２１の第２の位置保持溝部２１Ｃの最後部から最前部へ相対的に移動している。このとき、切換部材２３は第２の位置にあり、第１の接点部３３と第２の接点部３５とが互いに接触し、スイッチ回路３１は閉の状態である。すなわち、スライド部材１５が移動しても、カム突起部２５が第２の位置保持溝部２１Ｃの範囲内を相対的に移動している間は、切換部材２３は第２の位置に停止しており、第１の接点部３３と第２の接点部３５とが互いに接触した状態が維持され、スイッチ回路３１の閉の状態が維持される。
【００５３】
次に、状態Ｓ３では、スライド部材１５がケース２のさらに後方へ移動し、切換部材２３のカム突起部２５がカム溝部２１の第２の位置保持溝部２１Ｃの最前部から、切換溝部２１Ｂを通って、第１の位置保持溝部２１Ａの最後部へ相対的に移動している。このとき、切換部材２３は第１の位置に移動しており、第１の接点部３３と第２の接点部３５とが互いに離間し、スイッチ回路３１は開の状態である。このように、カム突起部２５が切換溝部２１Ｂを第２の位置保持溝部２１Ｃから第１の位置保持溝部２１Ａへ向かって相対的に移動することにより、切換部材２３が第２の位置から第１の位置へ移動し、これにより、第１の接点部３３と第２の接点部３５とが互いに離間し、スイッチ回路３１が閉から開に切り換わる。
【００５４】
次に、状態Ｓ４、すなわち、スライド部材１５がさらに後方に移動し、ケース２の最後部の位置に到達した状態では、切換部材２３のカム突起部２５がカム溝部２１の第１の位置保持溝部２１Ａの最後部から最前部へ相対的に移動している。このとき、切換部材２３は第１の位置にあり、第１の接点部３３と第２の接点部３５とが互いに離間し、スイッチ回路３１は開の状態である。すなわち、スライド部材１５が移動しても、カム突起部２５が第１の位置保持溝部２１Ａの範囲内を相対的に移動している間は、切換部材２３は第１の位置に停止しており、第１の接点部３３と第２の接点部３５とが互いに離間した状態が維持され、スイッチ回路３１の開の状態が維持される。
【００５５】
このように、本発明の実施形態によるスイッチ１によれば、カム溝部２１を第１の位置保持溝部２１Ａ、切換溝部２１Ｂおよび第２の位置保持溝部２１Ｃを有する形状としたことにより、スライド部材１５がケース２の最前部と最後部との間の長い距離を有する移動範囲を移動する場合でも、スライド部材１５がその長い移動範囲内の所定の箇所を通過したときに、切換部材２３を第１の位置と第２の位置との間において瞬時に移動させ、スイッチ回路３１の閉開を切り換えることができる。
【００５６】
また、本発明の実施形態によるスイッチ１によれば、スライド部材１５の前後方向の移動をカム機構２０により切換部材２３の左右方向の移動に変換すると共に、スライド部材１５が移動する前後方向および切換部材２３が移動する左右方向に拡がる平面内、すなわち、スライド部材１５の平板部１６の下面内に、カム突起部２５の移動を制御するためのカム溝部２１の形状を設定する構成としたから、第１の接点部３３と第２の接点部３５との間の接触、離間の確実性を高めることができ、スイッチ１の閉開動作の信頼性を向上させることができる。
【００５７】
すなわち、例えば、スライド部材１５のレバー部１８に当接した物体５２が左右方向にがたつくことがある。また、スイッチ１が設けられている土台となる部分が振動するためにスイッチ１全体が左右方向に振動することがある。このような場合でも、スイッチ１の上記カム構造によれば、カム突起部２５の左右方向の位置がカム溝部２１により正確に定まり、かつ安定し、スライド部材１５が停止している間は、カム突起部２５はカム溝部２１に対して左右方向に位置ずれせず、それゆえ、切換部材２３はスライド部材１５に対して左右方向に位置ずれしない。さらに、スライド部材１５は一対の支持腕部１７によりケース２に左右方向に位置ずれしないように支持されているため、切換部材２３はケース２に対して左右方向に位置ずれしない。この結果、ケース２に支持された第１の接触子３２に設けられた第１の接点部３３と、ケース２および切換部材２３に支持された第２の接触子３４に設けられた第２の接点部３５との位置関係が正確に定まり、かつ安定する。したがって、上述した左右方向のがたつきや振動のために、第１の接点部３３と第２の接点部３５とが誤って接触すること、接触が不安定になること、または接触不良を起こす等を防止することができる。
【００５８】
（接点間の接触・離間）
図１３は、切換部材２３が第２の位置に移動したときの第１の接触子３２および第２の接触子３４の状態を示している。図１４は、切換部材２３が第１の位置に移動したときの第１の接触子３２および第２の接触子３４の状態を示している。図１５は、第１の接点部３３と第２の接点部３５とが互いに接触したときの動作を示している。
【００５９】
図１３に示すように、第１の接触子３２は、その基端側がケース本体３の左前部に位置する第１の接触子固定部５に支持され、先端側が概ね後方に伸長して自由端となっている。また、第２の接触子３４は、その基端側がケース本体３の左後部に位置する第２の接触子固定部６に支持され、先端側が概ね前方に伸長して自由端となっている。また、上述したように、第１の接触子３２および第２の接触子３４において前後方向に伸長している部分は左右方向に弾性変形し易く、左右方向に伸長している部分は前後方向に弾性変形し易い。このような構造により、第１の接触子３２の最先端部に配置された第１の接点部３３は、第１の接触子３２が弾性変形したとき、前後方向および左右方向に拡がる平面内において、第１の接触子３２がケース本体３に支持されている点Ｐを中心とした略円弧状の軌跡Ｌを描くように変位する。また、第２の接触子３４の最先端部に配置された第２の接点部３５は、第２の接触子３４が弾性変形したとき、前後方向および左右方向に拡がる平面内において、第２の接触子３４がケース本体３に支持されている点Ｑを中心とした略円弧状の軌跡Ｍを描くように変位する。
【００６０】
切換部材２３が第１の位置から第２位置へ移動したとき、図１３に示すように、切換部材２３が第２の接触子３４の先端側を右方に押し動かす。これにより、第２の接触子３４が弾性変形し、第２の接点部３５が、軌跡Ｍに沿って概ね右後の方向に移動し、第１の接点部３３に接触し、さらに、第１の接点部３３を右方に押し動かす。この結果、第１の接触子３２が弾性変形し、第１の接点部３３が軌跡Ｌに沿って概ね右前の方向に移動する。このように、第２の接点部３５が第１の接点部３３を押し動かすことにより、第２の接点部３５と第１の接点部３３とが互いに接触した状態を維持しながら、第２の接点部３５が右後の方向に移動し、第１の接点部３３が右前の方向に移動するので、図１５に示すように、第２の接点部３５は、第１の接点部３３上を図１５中の矢示方向にスライド移動する。このスライド移動により、第１の接点部３３と第２の接点部３５とが互いに擦り合い、いわゆるワイピング効果（接点同士が接触した状態で滑り動作をし、接点に付着した異物を取り除く効果）が発揮される。これにより、第１の接点部３３または第２の接点部３５に付着した塵埃を払い除け、または第１の接点部３３または第２の接点部３５に形成された塵埃の膜を削り取ることができる。したがって、切換部材２３が第２の位置に移動したときに、第１の接点部３３と第２の接点部３５との間を十分にかつ確実に導通させることができ、導通不良によりスイッチ１が誤動作することを防止することができる。
【００６１】
一方、切換部材２３の接触子支持部２７は、第２の接触子３４の先端側が切換部材２３と共に左方および右方にそれぞれ変位するように、第２の接触子３４の先端側を支持している。この結果、切換部材２３は、切換部材２３が第１の位置から第２の位置へ移動したときに、図１３に示すように、第２の接触子３４の先端側を右方へ押し動かすことにより第２の接点部３５を第１の接点部３３に押し付ける一方、切換部材２３が第２の位置から第１の位置へ移動したときに、図１４に示すように、第２の接触子３４の先端側を左方へ押し動かすことにより第２の接点部３５を第１の接点部３３から引き離す。さらに、ケース本体３には変位制限部７が設けられている。変位制限部７は、切換部材２３が第２の位置から第１の位置へ移動したときに、変位先端部７の右端部に第１の接触子３２の先端側を接触させることで、第１の接触子３２の先端側が左方へ変位することを制限し、これにより、第１の接点部３３を第２の接点部３５から引き剥がす。したがって、切換部材２３が第２の位置に移動して第１の接点部３３と第２の接点部３５とが接触している間に、例えば両接点部間に大きな電流が流れ、第１の接点部３３と第２の接点部３５とが互いに溶着した場合でも、切換部材２３が第１の位置へ移動したときに、第１の接点部３３と第２の接点部３５とを互いに分離させることができる。これにより、スイッチ１の誤動作を防止することができる。
【００６２】
（スイッチ開閉動作の反転）
本発明の実施形態によるスイッチ１は、スライド部材１５に形成されたカム溝部２１により、スライド部材１５の移動を切換部材２３の移動に変換し、切換部材２３により、第１の接点部３３と第２の接点部３５との接触、離間を切り換えてスイッチ回路３１を開閉させる。このような構成により、スイッチ１によれば、スライド部材１５に形成するカム溝部２１の形状を変えることで、外部（例えば図２中の物体５２）からスライド部材１５に入力される変位の方向と、スイッチ回路３１の開閉動作との関係を簡単に反転させることができる。これに加え、スライド部材１５はケース２の外側に支持されており、かつ、切換部材２３から分離した独立の部材であるため、スイッチ１を構成する部品のうち、スライド部材１５以外の部品を全く変更せずに、スライド部材１５だけを他のスライド部材１５に簡単に交換することができる。したがって、スライド部材１５に形成されているカム溝部２１と異なる形状のカム溝部が形成された他のスライド部材を用意し、スライド部材１５をこの他のスライド部材に交換するだけで、外部からスライド部材１５に入力される変位の方向と、スイッチ回路３１の開閉動作との関係を極めて簡単に反転させることができる。例えば、スライド部材の交換のみにより、ノーマルクローズタイプのスイッチをノーマルオープンタイプのスイッチに極めて簡単に変更することができる。
【００６３】
ここで、図１６は、スライド部材１５と交換可能な他のスライド部材を示している。図１６において、スライド部材４５には、図７に示すスライド部材１５に形成されたカム溝部２１と異なる形状のカム溝部４７が形成されている。具体的には、スライド部材４５のカム溝部４７は、平板部４６の下面内において、スライド部材４５の後部に位置するＡ２点から前後方向に直線状に伸長してＡ２点よりも前方に位置するＢ２点に至り、Ｂ２点から斜め方向に直線状に伸長してＢ２点よりも前方であって、かつＢ２点よりも右方に位置するＣ２点に至り、Ｃ２点から前後方向に直線状に伸長してＣ２点よりも前方に位置するＤ２点に至る軌跡を描くように伸長している。この場合、第１の位置保持溝部４７Ａは、カム溝部４７においてＡ２点とＢ２点との間の部分となり、切換溝部４７Ｂは、カム溝部４７においてB２点とC２点との間の部分となり、第２の位置保持溝部４７Ｃは、カム溝部４７においてＣ２点とＤ２点との間の部分となる。
【００６４】
スライド部材４５をケース２に取り付けた場合、図７に示すスライド部材１５をケース２に取り付けた場合と比較して、スライド部材の移動方向と切換部材２３の移動方向との関係が逆になり、この結果、外部からスライド部材１５に入力される変位の方向と、スイッチ回路３１の開閉動作との関係が反転する。
【００６５】
なお、本発明は、請求の範囲および明細書全体から読み取ることのできる発明の要旨または思想に反しない範囲で適宜変更可能であり、そのような変更を伴うスイッチもまた本発明の技術思想に含まれる。
【符号の説明】
【００６６】
１  スイッチ
２  ケース
４  切換軌道形成部
５  第１の接触子固定部
６  第２の接触子固定部
７  変位制限部
８  スライド軌道形成部
１５、４５  スライド部材
１６、４６  平板部
１７  支持腕部
２０  カム機構
２１、４７  カム溝部
２１Ａ、４７Ａ  第１の位置保持溝部
２１Ｂ、４７Ｂ  切換溝部
２１Ｃ、４７Ｃ  第２の位置保持溝部
２３  切換部材
２４  移動規制部
２５  カム突起部
２６  挿通凹部
２７  接触子支持部
２７Ａ、２７Ｂ  支持片
３１  スイッチ回路
３２  第１の接触子
３３  第１の接点部
３４  第２の接触子
３５  第２の接点部
【図１】
0006535247.tif 000002
【図２】
0006535247.tif 000003
【図３】
0006535247.tif 000004
【図４】
0006535247.tif 000005
【図５】
0006535247.tif 000006
【図６】
0006535247.tif 000007
【図７】
0006535247.tif 000008
【図８】
0006535247.tif 000009
【図９】
0006535247.tif 000010
【図１０】
0006535247.tif 000011
【図１１】
0006535247.tif 000012
【図１２】
0006535247.tif 000013
【図１３】
0006535247.tif 000014
【図１４】
0006535247.tif 000015
【図１５】
0006535247.tif 000016
【図１６】
0006535247.tif 000017